(57)【特許請求の範囲】
【請求項１】
原稿台に載置された複数の読取原稿を自動で読み取る機能を備えた複数原稿自動読取部と、原稿載置板に載置された読取原稿を読み取る機能を備えたフラットベッド読取部と、前記複数原稿自動読取部の読取動作中には次原稿なしの旨を初期表示するとともに次の読取原稿の有無を質問表示し、前記フラットベッド読取部の読取動作中には次原稿ありの旨を初期表示するとともに次の読取原稿の有無を質問表示する表示手段と、次の読取原稿の有無の状態を設定変更することが可能な入力手段と、読取原稿の読取動作の終了時に、次の読取原稿の有無に基づいて読取動作を続行するか否かを決定する決定手段とを備えた画像読取装置。
【請求項２】
前記複数原稿自動読取部の読取原稿、あるいは前記フラットベッド読取部の読取原稿を連続的に読取るとともに、該読取原稿の画データを１つの画像群として記憶するように構成した請求項１に記載の画像読取装置。
【請求項３】
前記表示手段の初期表示の内容は、前記入力手段の入力に基づいて反転される請求項１または請求項２に記載の画像読取装置。
【発明の詳細な説明】
【０００１】
【発明の属する技術分野】
この発明は、例えば複写機やファクシミリ装置において、原稿上の画像を読取る画像読取装置に関するものである。
【０００２】
【従来の技術】
この種の画像読取装置においては、複数原稿自動読取部（ＡＤＦ）及びフラットベッド読取部（ＦＢＳ）を装備したものがある。複数原稿自動読取部では、複数枚の原稿を読取位置に順に給送して、自動的に読取り動作を行うようになっている。また、フラットベッド読取部では、原稿載置板上に原稿を載置した静止状態で、その原稿の読取り動作を行うようになっている。
【０００３】
【発明が解決しようとする課題】
ところが、従来の画像読取装置においては、大量の原稿を複数原稿自動読取部で読取る場合、その読取部に挿入可能な枚数を越える原稿を、１つの画像群として連続的に読取ることができないという問題があった。また、カット紙と本とのように形状等の異なる原稿を両読取部で読取る場合、複数原稿自動読取部の原稿とフラットベッド読取部の原稿とを、１つの画像群として連続的に読取ることができないという問題もあった。
【０００４】
この発明は、このような従来の技術に存在する問題点に着目してなされたものである。その目的とするところは、大量の原稿及び形状等の異なる原稿を、１つの画像群として連続的に読取ることができる画像読取装置を提供することにある。
【０００５】
【課題を解決するための手段】
上記の目的を達成するために、請求項１に記載の画像読取装置の発明では、原稿台に載置された複数の読取原稿を自動で読み取る機能を備えた複数原稿自動読取部と、原稿載置板に載置された読取原稿を読み取る機能を備えたフラットベッド読取部と、前記複数原稿自動読取部の読取動作中には次原稿なしの旨を初期表示するとともに次の読取原稿の有無を質問表示し、前記フラットベッド読取部の読取動作中には次原稿ありの旨を初期表示するとともに次の読取原稿の有無を質問表示する表示手段と、次の読取原稿の有無の状態を設定変更することが可能な入力手段と、読取原稿の読取動作の終了時に、次の読取原稿の有無に基づいて読取動作を続行するか否かを決定する決定手段とを備えたものである。
【０００６】
請求項２に記載の発明では、請求項１に記載の画像読取装置において、前記複数原稿自動読取部の読取原稿、あるいは前記フラットベッド読取部の読取原稿を連続的に読取るとともに、該読取原稿の画データを１つの画像群として記憶するように構成したしたものである。
【０００７】
請求項３に記載の発明では、請求項１または請求項２に記載の画像読取装置において、前記表示手段の初期表示の内容は、前記入力手段の入力に基づいて反転されるようにしたものである。
【０００８】
【発明の実施の形態】
以下に、この発明をコピー・ファクシミリ複合機に具体化した一実施形態を、図面に基づいて説明する。
【０００９】
図１に示すように、この複合機の装置本体１１には、原稿給送部１２と、原稿載置部１３と、読取部１４と、カット紙供給部１５と、記録部１７と、カット紙排出部１８とが装設されている。
【００１０】
図１及び図２に示すように、前記原稿給送部１２は、原稿２１を載置する原稿台２２と、原稿２１を１枚ずつ分離供給する分離ローラ２３と、分離された原稿２１を給送する複数の給送ローラ２４と、上面を原稿２１が通過する透光板２５と、排出された原稿２１をストックする原稿排出台２６とを備えている。
【００１１】
原稿有無センサ２７は前記原稿台２２に対向配置され、原稿台２２上に原稿２１が載置されているときに検出信号を出力する。原稿排出センサ２８は原稿排出台２６に対向配置され、原稿排出台２６上へ原稿２１が排出されたときに検出信号を出力する。
【００１２】
前記原稿載置部１３は、上面に原稿２１を載置するための透明な原稿載置板３１と、その原稿載置板３１上に開閉回動可能に配設された押え蓋３２とを備えている。そして、前記原稿給送部１２の原稿台２２及び原稿排出台２６は、この原稿載置部１３の押え蓋３２上に配設され、押え蓋３２と一体的に開閉回動されるようになっている。
【００１３】
図１及び図２に示すように、前記読取部１４は、透光板２５上を通過する原稿２１または原稿載置板３１上に載置された原稿２１に光を照射する光源３７と、原稿２１からの反射光の光路を変更する第１〜第３ミラー３８，３９，４０と、光源３７及び第１〜第３ミラー３８，３９，４０を移動させるための移動機構４１とを備えている。さらに、読取部１４は、第３ミラー４０からの光を収束させる集光レンズ４２と、その集光レンズ４２を通して入射した光に基づき原稿２１上の画像を読取る撮像素子（ＣＣＤ）４３とを備えている。
【００１４】
前記移動機構４１は、左右一対の大径プーリ４４，４５と、左右一対の小径プーリ４６，４７と、大径プーリ４４，４５間に掛装された第１ベルト４８と、小径プーリ４６，４７間に掛装された第２ベルト４９とを備えている。さらに、移動機構４１は、第１ベルト４８に連結された第１キャリッジ５０と、その第２ベルト４９に連結された第２キャリッジ５１と、ステップモータ５２とを備えている。
【００１５】
前記大径プーリ４４，４５の直径は小径プーリ４６，４７の直径の２倍となるように形成されている。また、左側の大径プーリ４４と小径プーリ４６とは、同一軸線上で一体回転可能に連結されて、ステップモータ５２に作動連結されている。さらに、第１キャリッジ５０上には光源３７及び第１ミラー３８が支持され、第２キャリッジ５１上には第２ミラー３９及び第３ミラー４０が支持されている。
【００１６】
そして、ステップモータ５２にて大径プーリ４４，４５及び小径プーリ４６，４７が回転されることにより、第１及び第２ベルト４８，４９を介して、第１及び第２キャリッジ５０，５１が移動される。このとき、第１キャリッジ５０は第２キャリッジ５１の２倍の移動速度で移動される。それにより、両キャリッジ５０，５１は図１に示すように、中間の待機位置Ｐ１と、透光板２５の直下に対向位置する第１原稿読取位置Ｐ２と、原稿載置板３１の基準端３１ａの直下に対向位置する第２原稿読取位置の開始点Ｐ３とに移動配置される。
【００１７】
また、前記原稿給送部１２と読取部１４とにより複数原稿自動読取部（ＡＤＦ）が構成され、キャリッジ５０，５１が第１原稿読取位置Ｐ２に移動配置された状態で、透光板２５上を通過する原稿２１の画像が読取られる。さらに、原稿載置部１３と読取部１４とによりフラットベッド読取部（ＦＢＳ）が構成され、キャリッジ５０，５１が第２原稿読取位置の開始点Ｐ３に移動配置された後に、終了点Ｐ４に向かって移動されて、原稿載置板３１上に載置された原稿２１の画像が読取られる。
【００１８】
図１及び図２に示すように、読取位置センサ５３は前記原稿載置板３１の基準端３１ａの下部に配設され、キャリッジ５０，５１が第２原稿読取位置の開始点Ｐ３に移動されたときに検出信号を出力する。図３に示すように、原稿長さセンサ５４は前記原稿載置板３１の基準端３１ａから所定間隔をおいた位置に対向配置され、原稿載置板３１上に載置された原稿２１の長さを検出する。また、前記光源３７を含む読取部１４は原稿幅センサを兼用しており、第１キャリッジ５０が２原稿読取位置の開始点Ｐ３に移動配置された状態で、主走査方向に原稿２１の読取りを行うときに、原稿２１の幅を検出する。
【００１９】
図１に示すように、前記カット紙供給部１５は、所定サイズのカット紙５６を積層状態で収容した複数（この実施形態では２つ）の給紙カセット５７と、各給紙カセット５７内のカット紙５６を１枚ずつ記録部１７に向けて給送する給紙ローラ５８と、カット紙５６の給送を案内するガイド板５９とを備えている。なお、各給紙カセット５７内にはサイズの異なるカット紙５６が収容されている。
【００２０】
前記記録部１７は、感光ドラム６８と、その感光ドラム６８の表面を所定電位に一様に帯電させる帯電器６９と、感光ドラム６８上に画像の静電潜像を形成する露光器７０と、感光ドラム６８上の静電潜像にトナーを供給してその潜像を顕像化する現像器７１とを備えている。さらに、記録部１７は、感光ドラム６８に対してカット紙５６を給送する給送ローラ７２と、トナー画像を感光ドラム６８上からカット紙５６上に転写させる転写器７３と、カット紙５６上のトナー画像を加熱定着させる加熱定着器７４とを備えている。
【００２１】
前記カット紙排出部１８は、記録済みのカット紙５６を排出する排紙ローラ７７と、カット紙５６の排出を案内するガイド板７８と、排出されたカット紙５６をストックする排紙トレイ７９とを備えている。
【００２２】
次に、前記のように構成されたコピー・ファクシミリ複合機の回路構成について説明する。図４に示すように、中央処理装置（ＣＰＵ）８２は、複合機の各部の動作を制御する。リードオンリメモリ（ＲＯＭ）８３は、複合機の動作に必要な各種の制御プログラムを記憶している。ランダムアクセスメモリ（ＲＡＭ）８４は、制御プログラムの実行に伴って得られたデータ等を一時的に記憶する。そして、このＣＰＵ８２、ＲＯＭ８３及びＲＡＭ８４により、制御手段及び決定手段が構成されている。
【００２３】
前記原稿有無センサ２７及び原稿長さセンサ５４は、ＣＰＵ８２に検出信号を出力する。読取部１４は、透光板２５または原稿載置板３１を介して原稿２１上の画像を読取って、白黒２値のイメージデータをＣＰＵ８２に出力する。画像メモリ８５は、受信画データや読取部１４で読取られた画データを一時的に記憶する。記録部１７は、受信画データや読取部１４で読取られた画データをカット紙５６に記録する。
【００２４】
表示手段としての表示部８６は液晶表示パネルやＬＥＤを備え、例えば「コピーモード」、「通信モード」、「次原稿あり」、「次原稿なし」、「待機中」、「機器異常」のように、装置の動作状態等の各種情報を表示する。操作部８７は、コピー／通信キー８７ａ、スタートキー８７ｂ、次原稿有無キー８７ｃ等の各種操作キーを備えている。
【００２５】
前記コピー／通信キー８７ａは、コピーモードを実行させるか、ファクシミリ通信モードを実行させるかを選択する場合に操作する。スタートキー８７ｂは、コピー動作やファクシミリ通信動作を開始させる場合に操作する。次原稿有無キー８７ｃは入力手段を構成し、読取部１４による原稿２１の読取動作中に、表示部８６上の「次原稿あり」または「次原稿なし」の表示内容を反転させる必要がある場合に操作する。
【００２６】
モデム８８は、送受信データの変調及び復調を行うものである。ネットワークコントロールユニット（ＮＣＵ）８９は、電話回線Ｌ１の閉結及び開放を制御するとともに、相手先のファックス番号に対応したダイヤルパルスの送出及び着信を検出する機能等を備えている。
【００２７】
そして、前記ＣＰＵ８２は、原稿給送部１２と読取部１４とよりなる複数原稿自動読取部（ＡＤＦ）での読取動作中には、次原稿なしの状態を初期設定して、表示部８６に質問表示として「次原稿なし」を初期表示させる。また、ＣＰＵ８２は、原稿載置部１３と読取部１４とよりなるフラットベッド読取部（ＦＢＳ）での読取動作中には、次原稿ありの状態を初期設定して、表示部８６に質問表示として「次原稿あり」を初期表示させる。
【００２８】
さらに、ＣＰＵ８２は、前記読取動作中に表示部８６の初期表示の内容を反転させるために、次原稿有無キー８７ｃが操作されたときには、次原稿なしまたは次原稿ありの初期設定を変更するとともに、表示部８６の初期表示の内容を反転させる。しかも、ＣＰＵ８２は、原稿２１の読取動作の終了時に、前記次原稿ないまたは次原稿ありの設定に基づいて、読取動作を続行するか否かを決定する。
【００２９】
そして、複数原稿自動読取部で読取動作を続行する場合には、原稿台２２上に挿入可能な枚数を越える原稿２１を、１つの画像群として連続的に読取ることができるようになっている。また、複数原稿自動読取部の読取動作に続いてフラットベッド読取部で読取動作を行う場合には、それらの原稿２１を１つの画像群として連続的に読取ることができるようになっている。
【００３０】
次に、この実施形態のコピー・ファクシミリ複合機において、原稿２１の読取りを行う場合の動作について、図５に示すフローチャートに基づいて説明する。なお、このフローチャートは、ＲＯＭ８３に記憶されている制御プログラムに基づいて、ＣＰＵ８２の制御のもとで進行する。
【００３１】
さて、原稿２１の読取り時には、操作者が原稿給送部１２の原稿台２２上または原稿載置部１３の原稿載置板３１上に原稿２１を載置した後、スタートキー８７ｂを押下操作する（Ｓ１）。すると、原稿給送部１２の原稿有無センサ２７により、原稿台２２上に原稿２１が載置されているか否かが検出される（Ｓ２）。そして、原稿台２２上に原稿２１が存在するときには、次原稿なしの状態が初期設定されて、表示部８６に「次原稿なし」が初期表示されるとともに（Ｓ３）、原稿台２２上の原稿２１の読取動作が開始される（Ｓ４）。すなわち、原稿給送部１２の原稿台２２には、１まとまりの複数または多数の原稿２１が積層載置されることが多く、次原稿なしの場合が多いため、前記のような表示が行われる。
【００３２】
一方、前記Ｓ２の判別において、原稿台２２上に原稿２１が存在しない場合には、原稿載置部１３の原稿長さセンサ５４等により、原稿載置板３１上に原稿２１が載置されているか否かが検出される（Ｓ５）。そして、原稿載置板３１上に原稿２１が存在するときには、次原稿ありの状態が初期設定されて、表示部８６に「次原稿あり」が初期表示されるとともに（Ｓ６）、原稿載置板３１上の原稿２１の読取動作が開始されて、画データが画像メモリ８５に記憶される（Ｓ４）。すなわち、原稿載置板３１上には、１枚の原稿２１しか載置されないため、次原稿が存在する場合が多いため、前記のような表示になる。
【００３３】
また、原稿載置板３１上に原稿２１が存在しないときには、すなわち、原稿台２２及び原稿載置板３１のいずれにも原稿２１が存在しない場合には、前記Ｓ１に戻って原稿２１の載置及びスタートキー８７ｂの押下操作が待たれる。
【００３４】
前記原稿台２２上または原稿載置板３１上の原稿２１の読取り動作中において、表示部８６の初期表示を反転させる必要がある場合には、すなわち、１まとまりの原稿２１を分割して原稿台２２に載置したために、次原稿が存在する場合、原稿台２２上の原稿２１に続いて原稿載置板３１の原稿２１を読取る場合、あるいは、原稿載置板３１上で読取られる原稿が１枚しかない場合には、読取り動作中において、操作者による次原稿有無キー８７ｃの操作が待たれる（Ｓ７）。
【００３５】
この原稿読取り中に、次原稿有無キー８７ｃが操作されると、次原稿なしまたは次原稿ありの初期設定が変更されるとともに、表示部８６の初期表示が反転される（Ｓ８）。そして、原稿２１の読取動作の終了時に、前記次原稿なしと次原稿ありとのいずれの設定状態にあるかが判別される（Ｓ９）。次原稿ありの場合には、前記Ｓ１に戻り、Ｓ２またはＳ５の判断を経て、原稿台２２または原稿載置板３１上の原稿２１が読取られる。そして、Ｓ９を経て２回目以降に読取られた画データはすで読取られて画像メモリ８５に記憶された画データとともに同画像メモリ８５の同一領域に１つの画像群として記憶される。
【００３６】
また、Ｓ９の判断において、次原稿なしの場合には、原稿２１の読取動作を終了して（Ｓ１０）、すべての処理が終了する。
以上のように、複数原稿自動読取部（ＡＤＦ）で読取動作を続行した場合には、原稿台２２上に挿入可能な枚数を越える大量の原稿２１が、１つの画像群として連続的に読取記憶される。また、複数原稿自動読取部（ＡＤＦ）の読取動作に続いて、フラットベッド読取部（ＦＢＳ）で読取動作を行った場合には、それらの読取部における形状等の異なった原稿２１が、１つの画像群として連続的に読取記憶される。
【００３７】
前記の実施形態によって期待できる効果について、以下に記載する。
・この実施形態の画像読取装置では、読取部１４での原稿２１の読取動作中に、次の読取原稿の有無が表示部８６で質問表示され、この表示部８６の表示に基づいて、次原稿有無キー８７ｃの操作により、次の読取原稿の有無を入力するようになっている。そして、このキー操作の入力結果に基づいて、原稿２１の読取動作の終了時に、ＣＰＵ８２により、次の読取原稿の読取動作を続行するか否かが決定されるようになっている。
【００３８】
このため、原稿２１の読取動作中に、次の読取原稿の有無を予め入力設定しておくことができる。従って、次原稿有の場合には、設定し忘れを防止することができて、大量の原稿２１や形状等の異なる原稿２１を、１つの画像群として連続的に、かつ速やかに読取ることができる。また、次原稿無の場合には、原稿２１の読取動作を速やかに終了することができる。
【００３９】
なお、ここで、読取動作とは、実際読取りの以外にも、複数原稿自動読取部（ＡＤＦ）における各原稿読取りの前後において原稿の給送のみが行われる場合や、フラットベッド読取部（ＦＢＳ）における原稿読取りの前後においてキャリッジ５０，５１が待機位置Ｐ１から第１原稿読取位置Ｐ２へ移動する場合、キャリッジ５０，５１が読取後復帰移動する場合を含む。
【００４０】
・この実施形態の画像読取装置では、読取部が複数原稿自動読取部（ＡＤＦ）とフラットベッド読取部（ＦＢＳ）とから構成されている。そして、すでに読取りが行われた原稿２１に対し、複数原稿自動読取部の原稿２１や、フラットベッド読取部の原稿２１を、１つの画像群として連続的に読取るようになっている。このため、複数原稿自動読取部及びフラットベッド読取部のいずれの原稿２１であっても、１つの画像群にまとめて読取ることができる。従って、読取られた画データを送信したり、コピーしたりする場合に、原稿枚数が多くても、あるいは原稿形状が異なっても、送信やコピー動作が分割されることなく、その送信やコピーを１動作ですませることができる。
【００４１】
・この実施形態の画像読取装置では、複数原稿自動読取部の読取動作中には、表示部８６に「次原稿なし」が初期表示され、フラットベッド読取部の読取動作中には、表示部８６に「次原稿あり」が初期表示されるようになっている。そして、この表示部８６の初期表示を反転させる必要がある場合に、次原稿有無キー８７ｃを入力操作するようになっている。
【００４２】
このため、次原稿無の可能性が大きい複数原稿自動読取部の読取動作時には、初期表示を反転させるための入力操作の煩わしさを解消することができる。また、次原稿有の可能性が大きいフラットベッド読取部の読取動作時にも、同様に初期表示を反転させるための入力操作の煩わしさを解消することができる。
【００４３】
なお、前記実施形態は、次のように変更して具体化することも可能である。
・読取部１４での読取動作時に、表示部８６に「次原稿有か」等の質問表示を行い、次原稿有無キー８７ｃの操作によって、この質問表示に応答するように構成すること。
【００４４】
・前記実施形態では、複数原稿自動読取部及びフラットベッド読取部のいずれかから読取りが開始されても、次に読取られた原稿画像が１つの画像群として画像メモリ８５に記憶されるように構成したが、複数原稿自動読取部での読取りに続くフラットベッド読取部での読取り画像のみが１つの画像群として記憶されるように構成すること。言換えれば形状のことなる原稿のみが１つ画像群として記憶されるように構成すること。
【００４５】
・複数原稿自動読取部で読取られた原稿のみが１つ画像群として記憶されるように構成すること。言換えれば１まとめの多数の原稿のみが１つ画像群として記憶されるように構成すること。
【００４６】
【発明の効果】
この発明は、以上のように構成されているため、次のような効果を奏する。
請求項１に記載の発明によれば、次原稿なしの可能性が大きい複数原稿自動読取部の読取動作時における入力操作の煩わしさを解消することができる。また、次原稿ありの可能性が大きいフラットベッド読取部の読取動作時における入力操作の煩わしさを解消することができる。
【００４７】
請求項２に記載の発明によれば、複数原稿自動読取部及びフラットベッド読取部のいずれの原稿であっても、１つの画像群にまとめて連続的に読取ることができて、送信やコピーを１動作ですませることができる。
【図面の簡単な説明】
【図１】この発明を具体化した複合機の一実施形態を示す断面図。
【図２】その画像読取装置を拡大して示す要部断面図。
【図３】同じく画像読取装置の原稿載置板の平面図。
【図４】複合機の回路構成を示すブロック図。
【図５】原稿の読取動作を示すフローチャート。
【符号の説明】
１１…装置本体、１２…原稿給送部、１３…原稿載置部、１４…読取部、１７…記録部、２１…原稿、２２…原稿台、２５…透光板、２７…原稿有無センサ、３１…原稿載置板、３７…光源、４３…撮像素子、５４…原稿長さセンサ、８２…制御手段及び決定手段を構成するＣＰＵ、８３…制御手段及び決定手段を構成するＲＯＭ、８４…制御手段及び決定手段を構成するＲＡＭ、８６…表示手段を構成する表示部、８７…操作部、８７ｃ…入力手段を構成する次原稿有無キー。
【図１】
0003596222.tif 000002
【図２】
0003596222.tif 000003
【図３】
0003596222.tif 000004
【図４】
0003596222.tif 000005
【図５】
0003596222.tif 000006